(57)【要約】  スマートフォン（３０）用着用型装着システム（１０）が開示されている。システム（１０）は、ユーザーの腕の周りに取り付け可能なバンド部材（１２）を包含している。軌道部材（１４）がバンド部材（１２）に装着されかつ少なくとも部分的にユーザーの前腕に沿って延びるように構成されている。軌道部材（１４）は、スマートフォン（３０）が軌道部材（１４）上の前以って定めた位置の間で軌道部材（１４）に沿って自由に走行するようにスマートフォン（３０）に係合している。スマートフォン（３０）を軌道部材（１４）で走行させるようにスマートフォン（３０）に力を加える手の動作を適用することで、スマートフォン（３０）に動作が加えられる。【選択図】  図５
2020517168.tif 000002
【特許請求の範囲】
【請求項１】
ユーザーの腕の周りに取り付け可能なバンド部材と、
バンド部材に装着されかつ少なくとも部分的にユーザーの前腕に沿って延びるように構成された軌道部材であって、スマートフォンが軌道部材上の前以って定めた位置の間で軌道部材に沿って自由に走行するようにスマートフォンに係合するように構成された軌道部材を包含し、
スマートフォンを軌道部材で走行させるようにスマートフォンに力を加える手の動作を適用することで、スマートフォンに動作が加えられるようにした、スマートフォン用着用型装着システム。
【請求項２】
バンド部材が、ユーザーの手首の周囲に取り付け可能である、請求項１に記載された着用型装着システム。
【請求項３】
軌道部材の一端は、ユーザーの手から離れるようにユーザーの前腕の内面に沿って延びるようにバンド部材の外面に装着されている、請求項２に記載された着用型装着システム。
【請求項４】
軌道部材はその末端部においてユーザーの腕の周りに延びるように構成され、前記末端部はバンド部材に装着された軌道部材の一端の反対側にある、請求項３に記載された着用型装着システム。
【請求項５】
軌道部材は、スマートフォンと関連するカメラシステムでユーザーの自画像を撮るための位置でのスマートフォンの位置決めを容易にするために、ユーザーの手を越えて延びるように、ハンド部材の他の表面に装着された端部から延びた伸縮自在な延長可能部を包含している、請求項１から４のいずれか１つに記載された着用型装着システム。
【請求項６】
軌道部材は、中空なチューブ部材へのスマートフォンの装着を容易にするために中空なチューブ部材の外面に形成されたスロットを有する中空なチューブ部材を包含していることを特徴とする、請求項１から５のいずれか１つに記載された着用型装着システム。
【請求項７】
スマートフォンの背面に装着された位置決め部材をさらに包含しており、それは中空なチューブ部材に形成されたスロットに沿って摺動するように軌道部材と係合するように構成されている、請求項６に記載された着用型装着システム。
【請求項８】
位置決め部材が、ステム部に装着されたボール部を包含しており、ボール部が、ユーザーによる手の動作の作用時において、摺動動作を容易にするためにスロット内に捕捉されるように構成されている、請求項７に記載された着用型装着システム。
【請求項９】
軌道部材は、位置決め部材を掴みかつユーザーの腕に対してスマートフォンを所定位置に保持するために軌道部材内に設けられた保持要素を包含している、請求項７に記載された着用型装着システム。
【発明の詳細な説明】
【関連出願】
【０００１】
本願は、２０１６年１２月２３日に提出されたオーストラリア仮特許出願Ｎｏ．２０１６９０５３４９に基づく優先権を主張し、それに言及することでその内容全体がここに包含されている。
【技術分野】
【０００２】
本発明は、概して、身体上でスマートフォンのような電話機を格納しかつそれにアクセスするためのシステム及び装置に関し、より具体的には、本発明は、単純な身体の動作ですばやくアクセスするために、スマートフォンをユーザーの前腕で携行するためのシステム及び装置にある。
【背景技術】
【０００３】
携帯電話機、特にスマートフォンは、急速に個人的必需品になってきている。ほとんどの人は、スマートフォンを、伝統的な財布や小銭入れと同等に重要なものとして、個人が携行する装置と共に、仕事及びレジャー活動の不可欠な部分として使用している。スマートフォンは単に電話機を掛けたり受けたりすること以外に複数の機能を実行するので、スマートフォンにすばやくアクセスする必要があるということが重要であり、かつある場合においては、スマートフォンは急速に財布や小銭入れの代替品になりつつある。
【０００４】
スマートフォンの技術は進歩したが、その装置のサイズは必ずしも縮小していない。むしろ、使用の利便性のために、スマートフォンは、そのスクリーンに、ビデオなどを視聴しかつ電子メールやテキストを読むのに使用できるようにしたサイズを採用してきている。従って、多くのスマートフォンはシャツのポケット又はジャケットの中に入れたりするには大きすぎる可能性があり、その結果多くの人は電話機を単品として携行している。スマートフォンは容易に落としたり又は置き忘れたりするから、これには不利な側面があり、また、それは一般的にテーブル又は机上に置かれるので、他人に容易に見られる可能性がある。この側面は、全ての出席者が自分の電話機をテーブル上でそばに置いており、一人あるいは複数の出席者が電話機の呼び出し又はテキストを受け取った場合に、電話機が振動して全ての出席者の気を散らすこととなる、会合環境において問題となり得る。
【０００５】
従って、電話機を収容できると共に、ユーザーの手の簡単な動作で電話機を隠れた位置から使用可能な位置に移動するための手段を提供できる、ユーザーの腕に装着可能な取付け装置を提供する必要がある。
【０００６】
従来の提案又は製品についての上記の言及及び説明は、従来技術における共通な一般的な知識を述べること或いは容認することを意図するものではなく、またそのように解すべきでもない。とくに、上記従来技術について述べたことは当業者に共通なよく知られたこととは関係がなく、関連する技術の提案の同定は、それがその一部を成すに過ぎない本発明の進歩性の理解に供することとなる。
【発明の概要】
【０００７】
一以上の態様による本発明は独立請求項で規定する通りである。本発明の幾つかの選択的及び／又は好ましい特徴は従属請求項において規定されている。
【０００８】
したがって、本発明の１つの態様において、
ユーザーの腕の周りに取り付け可能なバンド部材と、
バンド部材に装着されかつ少なくとも部分的にユーザーの前腕に沿って延びるように構成された軌道部材であって、スマートフォンが軌道部材上の前以って定めた位置の間で軌道部材に沿って自由に走行するように、スマートフォンに係合するように構成された軌道部材を包含し、
携帯電話機を軌道部材で走行させるように携帯電話機に力を加える手の動作を適用することで、スマートフォンが動かされるようにした、スマートフォン用着用型装着システムが提供される。
【０００９】
一実施形態において、バンド部材は、ユーザーの手首の周囲に取り付け可能であってもよい。軌道部材の一端は、ユーザーの手から離れるようにユーザーの前腕の内面に沿って延びるようにバンド部材の外面に装着されてもよい。
【００１０】
さらに、軌道部材はその末端部においてユーザーの腕の周りに延びるように構成されてもよく、前記末端部はバンド部材に装着された軌道部材の一端の反対側にある。
【００１１】
軌道部材は、スマートフォンと関連するカメラシステムでユーザーの自画像を撮るための位置でのスマートフォンの位置決めを容易にするために、ユーザーの手を越えて延びるように、ハンド部材の他の表面に装着された端部から延びた伸縮自在な延長可能部を包含していてもよい。
【００１２】
軌道部材は、中空なチューブ部材へのスマートフォンの装着を容易にするために、中空なチューブ部材の外面に形成されたスロットを有する中空なチューブ部材を包含していてもよい。
【００１３】
位置決め部材がスマートフォンの背面に装着されていてもよく、それは中空なチューブ部材に形成された前記スロットに沿って摺動するように軌道部材と係合するように構成されている。位置決め部材が、ステム部に装着されたボール部を包含していてもよく、ボール部が、ユーザーによる手の動作の作用時において、摺動動作を容易にするためにスロット内に捕捉されるように構成されていてもよい。
【００１４】
軌道部材は、位置決め部材を掴みかつユーザーの腕に対してスマートフォンを所定位置に保持するために、軌道部材内に設けられた保持要素を包含していてもよい。
【図面の簡単な説明】
【００１５】
本発明は、好適な実施形態の以下の非限定的な説明からよりよく理解可能である。
【００１６】
【図１】本発明の一実施形態による、使用のために電話機を装着するための、ユーザーが着用する装着装置の平面図である。
【図２】本発明の一実施形態による、図１の装着装置と一緒に使用するのに適合した携帯電話機の側面図である。
【図３】図２の携帯電話機の背面図である。
【図４】保持要素による様々な位置での電話機の捕捉の仕方を描いた図１の装着装置の平面図である。
【図５】使用状態における図１から４の実施形態の側面図である。
【図６】本発明の着用型携帯電話機装着装置の他の実施形態の図である。
【図７】“自撮り棒”としての使用に適した図１から４の実施形態の側面図である。
【発明を実施するための形態】
【００１７】
ここで、本発明の好ましい特徴をとくに添付図面を参照して説明する。しかしながら、図面に描かれかつ図面に関して説明する特徴は、本発明の範囲を限定するものと解すべきではないことを理解されたい。
【００１８】
第１の実施形態によれば、図１は外した状態にある装着装置１０を描いている。装着装置１０は、ユーザーの手首の周りに適合するように構成された柔軟な可撓性の布地から作られたバンドの形をしたリストバンド１２を包含している。リストバンド１２は、その端部に取り付けられた締結手段１３を有する一巻きの布バンドを包含している。描かれた実施形態において、締結手段１３はベルクロ（Velcro  登録商標）のようなフックとループによるファスナー装置であるが、スナップ，リベットなどのような、他のタイプのファスナーも想定される。図示してはいないが、リストバンド１２を形成するストラップの長さは、異なるサイズの手首に適合するために調整可能であることが理解されよう。
【００１９】
軌道部材１４は、リストバンド１２の外面に取付けられている。軌道部材１４は、図５に示されているように、ユーザーの手首に取付けた時、ユーザーの手から離れてユーザーの前腕の内面に沿って延びる直線部分１５を有している。軌道部材１４の端部１６は、図５に示されているように、直線部分１５と実質的に直角にかつユーザーの前腕の周りに延びる弧状又は円形の部分を有している。ユーザーが装着装置１０を着用した時、軌道部材１４はユーザーの手の真下からユーザーの肘より前の前腕の領域まで延びていることが理解されよう。
【００２０】
軌道部材１４は、好ましくは、着用した時軌道部材の形状を保持する硬質プラスチック材料から作られている。代替的には、軌道部材１４は、滑らかな金属的外観を提供するために金属材料から作られてもよい。軌道部材１４は、中空なチューブ形状を有していると共に、その外面に形成された、軌道部材１４の長さ分延びるスロット又は開口１８を有している。スロット１８は軌道部材１４の中空なチューブ体中へのアクセスを提供する狭い開口の形をしており、携帯電話機が以下でより詳しく説明する仕方で、それに沿って走行可能となる溝が形成されている。軌道部材１４は、軌道部材１４のスロット１８に沿って特定の位置に位置する保持要素２０を有していてもよい。保持要素２０は、携帯電話機がスロット１８に沿ってそれ以上みだりに摺動しないように、携帯電話機を所定の位置で掴み又は保持するように機能する中空なチューブ体内に装着されたばね負荷突部であり得る。保持要素２０は、概して、軌道部材１４内において、電話機を所定の場所に保持又は維持すべき位置に位置決めされている。
【００２１】
図２及び３を参照すると、各携帯電話機３０はその背面に装着された位置決め部材２５が装備されていてもよい。位置決め部材２５は、電話機３０の背面又は電話機３０のカバーに付着している接着剤を包含するパッド部２７を有している。ステム部（軸部）２６は、電話機３０の背面を越えてパッド部２７から延び、ノブ又はボール部２８で終わっている。位置決め部材２５のノブ又はボール部２８は、図４及び５に描かれているように、スロット１８を通って延びたステム部２６が軌道部材１４の中空なチューブ体内にぴったりと収納されるように構成されている。ノブ又はボール部２８は、電話機がユーザーの手の動作で、保持要素２０間で軌道部材１４に沿って自由に摺動できるように表面処理されている。
【００２２】
図５に示されているように、電話機３０の位置決め部材２５が装着装置１０の軌道部材１４内に取付けられている時、ユーザーは自分の前腕を捩じったり又は揺らしたりすることで、電話機３０を軌道部材１４の周りで簡単に動かすことができる。装着装置をゆったりした長い袖のシャツ又はジャケットの下に着用して隠すことができることが理解されよう。これに関して、不使用時に、電話機３０は電話機の使用状態から隠された所定位置‘Ａ’に置かれてもよい。この“休止”位置‘Ａ’において、軌道部材１４の中空体内に設けられた保持要素２０が電話機３０の位置決め部材２５のボール部２８を掴み又は保持する。電話機３０にアクセスするためには、ユーザーは、電話機を位置‘Ａ’から電話機がユーザーの掌内に置かれる位置‘Ｂ’まで移動することが必要である。これを行うためには、ユーザーは自分の腕を矢印Ｄの方向に単に揺らすだけでよい。この力によって、位置決め部材２５のボール部２８は軌道部材１４の中空体内に在る保持要素２０から解放され、電話機３０はユーザーの手首付近の軌道部材１４の中空体内に在る次の保持要素に向かって妨害を受けずに摺動できる。その結果、ユーザーは必要に応じて電話機３０を簡単に使用することができる。電話機３０を“休止”位置‘Ａ’に戻すためには、ユーザーは自分の腕を矢印Ｄと反対の方向に単に揺らすだけでよく、電話機３０が位置‘Ａ’に摺動して戻れるようにする。
【００２３】
ユーザーが自分の電話機３０を位置‘Ｃ’でその前腕の上端（top）に格納したいと望む場合は、自分の前腕を単に矢印Ｅの方向に捩じるだけでよく、それにより電話機３０は位置‘Ａ’の保持要素に打ち勝って、上述したのと同じ仕方で位置‘Ｃ’の保持要素で捕捉される。
【００２４】
図１−５に関連して示されかつ説明された実施形態は、さり気ないが効果的な仕方で電話機にアクセスするための簡単で効果的な手段を提供することが理解されよう。電話機は、ユーザーの手を自由にしたまま、ユーザーの要求に従い、簡単な身体動作により格納位置間で自由に摺動することができる。図１−５の実施形態は、美的な目的のために、軌道部材内に使用時にライトアップする光ファイバーを設けること、及びユーザーの手又は腕の周りに軌道部材を延ばすことで変更できることが理解されよう。
【００２５】
これに関して、電話機３０がユーザーの掌、即ち図５の位置Ｂにある時、ユーザーの手を越えて伸長可能な伸長軌道６０及び６１を用いて、軌道部材１５を伸縮自在に延びることができる。ユーザーの手を越えて少なくとも３００ｍｍ（他の長さも想定される。）伸長した伸長軌道６０，６１を提供するには、ユーザーは、伸長軌道６０，６１を単に掴んで、引き伸ばすだけでよい。電話機３０は伸長された軌道部材６０，６１に沿って走行することができ、その場合、軌道部材６１の端部は、どの方向の写真でも撮れるように、電話機３０が軌道６１から離れるように回転又は摺動できるように構成されている。ワイヤ（図示せず）がその一端で電話機３０の入力プラグに取り付けられ、かつ他端がボタンスイッチ（図示されていない）−ボタンスイッチは軌道部材１５の端部に位置してもよい−に取り付けられるように、伸長軌道６０，６１内で延びていてもよい。これに関して、ユーザーは写真を撮るため、ボタンスイッチの起動のために自身の親指を使用できる。他の実施形態においては、伸長軌道６０，６１は、別々に軌道部材１５に取り付けられ、電話機３０をその端部に取り付けできるようにした、交互に折り畳み可能な平らなロッドでもよい。
【００２６】
さらに、本発明の他の実施形態が図６に描かれている。この実施形態においては、電話機３０は枢着軸５０に装着された枢動アーム５５を介してリストバンド４０に装着されている。枢動アーム５５もまた、電話機３０の後側にコネクタ（図示されていない）を介して枢動可能に装着されている。このことで、電話機はユーザーの手中にある時又は格納位置にある時、その方向が同じ直立した状態となるようにすることができる。この実施形態において、手振り機能を実行するユーザーにより、電話機３０に矢印Ｆ方向における揺動を生じさせることができ、ユーザーの手首の下方位置から使用のためのユーザーの掌内の位置へ延び出す。枢着軸（pivot point）は、矢印Ｆ方向の移動を容易にするために打ち勝つべき限界力（threshold force）を要するブレーキ機構を有することができ、それにより電話機は使用位置又は格納位置に保持される。電話機を格納位置に戻すために、ユーザーは同じ手振り運動を単に実行すればよい。
【００２７】
詳細な説明及び請求項を通して、用語“包含する”及びその派生語の意図は、逆の意味で表現されるか或いは文脈から別の意味が必要とされない限り、排他的意味ではなく包括的意味を持たせることにある。即ち、用語“包含する”及びその派生語は、列挙した要素、工程又はそれが直接言及する特徴だけではなく、逆の意味で表現されるか或いは文脈から別の意味が必要とされない限り、具体的に列挙していない他の要素、工程又は特徴をも示すと解釈されるものとする。
【００２８】
当業者は、ここで説明された発明の方法に対して、本発明の本質から逸脱することなく多くの変更及び変形が可能であることが理解されよう。
【図１】
2020517168.tif 000003
【図２】
2020517168.tif 000004
【図３】
2020517168.tif 000005
【図４】
2020517168.tif 000006
【図５】
2020517168.tif 000007
【図６】
2020517168.tif 000008
【図７】
2020517168.tif 000009
【国際調査報告】
2020517168.tif 000010
2020517168.tif 000011
2020517168.tif 000012